(57)【要約】【課題】  ＣＰＵを、使用者の意思決定に際し、その精神状態に合わせたアドバイスを提示し、またアドバイスの効果に対する使用者の評価を次の判定にフィードバック（次からの判定に反映）するように機能させるプログラムを提供することである。【解決手段】  複数の質問群に対する使用者の回答の合計点数から精神状態を判定し、その判定に割り当てられたアドバイスをＣＰＵが選択しディスプレイに表示するプログラムを提供する（ステップ▲１▼から▲８▼）。これによって、使用者の精神状態に合わせたアドバイスを与える。  さらに、使用者のアドバイスに対する評価をＣＰＵがフィードバックするプログラムにした。つまり、評価に対して定められた点数の範囲でＣＰＵが判定基準を修正することによって精神状態の判定も修正され、使用者により適したアドバイスをＣＰＵが選択できる（ステップ▲８▼から▲１４▼）。【選択図】      図１
2005216324.tif 000002
【特許請求の範囲】
【請求項１】
使用者の意思決定に際し、▲１▼使用者が希望する質問の回数を入力装置（キーボードまたはマウス）からＣＰＵに入力するステップ、▲２▼ＣＰＵが記憶装置（ＨＤＤ）に保存された質問の中から無作為に質問を呼び出すステップ、▲３▼呼び出された質問を出力装置（ディスプレイ）に出力するステップ、▲４▼使用者が回答を入力装置（キーボードまたはマウス）からＣＰＵに入力するステップ、▲５▼ＣＰＵが回答を採点し加点してゆくステップ、▲６▼▲２▼から▲５▼をＣＰＵが複数回繰り返すステップ、▲７▼ＣＰＵが部分合計点数と総合点数を計算するステップ、▲８▼ＣＰＵが、ＨＤＤに保存されている（点数などからなる）判定基準に使用者の部分合計点数または総合点数を当てはめ使用者の精神状態を判定し、判定結果に割り当てられたアドバイスを選択するステップ、▲９▼ＣＰＵが選択したアドバイスを出力装置（ディスプレイ）に出力するステップ、をコンピュータ（ＣＰＵ）に実行させるプログラム。
【請求項２】
前期プログラムは、次に、▲１０▼アドバイスの効果が判明してから、使用者がその評価をＣＰＵに入力するためにＣＰＵからプログラムを呼び出すステップ、▲１１▼ＣＰＵはアドバイスの評価を問う質問をＨＤＤから呼び出し出力装置（ディスプレイ）に出力するステップ、▲１２▼使用者が質問に対する回答を入力装置（キーボードまたはマウス）からＣＰＵに入力するステップ、▲１３▼ＣＰＵが入力された回答をプログラムにフィードバック（次からの判定に反映）する。すなわち、入力された回答によって、定められた点数の範囲でＣＰＵが判定基準を修正するステップ。▲１４▼この▲１０▼から▲１３▼、そして修正された判定基準で再び▲８▼から▲９▼へ、そして▲１０▼へのステップを繰り返すことにより、さらに使用者に合わせた判定とアドバイス提示が可能になるステップ、をコンピュータ（ＣＰＵ）に実行させるプログラム。
【発明の詳細な説明】
【技術分野】
【０００１】  本発明は、コンピューター（ＣＰＵ）を、使用者の（うつ度やストレス状況などの）精神状態にあったアドバイスを提示し意思決定を支援し、またアドバイスに対する評価を使用者がＣＰＵに入力することにより、その評価を次の判定とアドバイス提示に反映すること（フィードバック）ができるように機能させるプログラムに関するものである。
【背景技術】
【０００２】  従来、占いやストレス度診断などのプログラムは存在し、また質問もハミルトンのうつ病評価法Ｈａｍｉｌｔｏｎ，Ｍ：Ａ  ｒａｔｉｎｇ  ａｃａｌｅ  ｆｏｒ  ｄｅｐｒｅｓｓｉｏｎ．Ｊ．Ｎｅｕｒｏｌ．Ｎｅｕｒｏｓｕｒｇ  Ｐｓｙｃｈｉａｔ．，２３：５６，１９６０や、ツングのＳｅｌｆ−ｒａｔｉｎｇ  Ｄｅｐｒｅｓｓｉｏｎ  Ｓｃａｌｅ（ＳＤＳ）Ｚｕｎｇ，Ｗ．Ｗ．Ｋ：Ａｓｅｌｆ−ｒａｔｉｎｇ  ｄｅｐｒｅｓｓｉｏｎ  ｓｃａｌｅ．Ａｒｃｈ．Ｇｅｎ．Ｐｓｙｃｈｉａｔ．，１２：６３，１９６５などを参考にして任意に作成できるし、判定基準も任意に作成できるが、使用者の意思決定に際し、複数の質問に対する回答の点数と判定基準をもとにアドバイスを提示し、さらにアドバイスに対する使用者の評価をフィードバックしてＣＰＵが判定基準を修正できるプログラムに関する文献は見当たらない。
【発明の開示】
【発明が解決しようとする課題】
【０００３】  従って、本発明が解決しようとする課題は、コンピューター（ＣＰＵ）を、使用者の意思決定に際し、その精神状態に合わせたアドバイスを提示し意思決定を支援し、またアドバイスの効果に対する使用者の評価を次の判定にフィードバックすることができるように機能させるプログラムを提供することにある。
【課題を解決するための手段】
【０００４】この課題を解決するための請求項１の発明は、複数の質問と、質問に対する回答に対して与えられる点数の部分合計点数または総合点数からなる使用者の精神状態の判定基準と、その判定基準に合わせて作成されたアドバイスをＨＤＤに保存する。使用者が出した回答の合計点からＣＰＵが判定し選択したアドバイスを出力装置（ディスプレイ）に表示するプログラムである。これによって、使用者の精神状態に合わせたアドバイスを与えることができる。【０００５】  また、請求項２の発明は、アドバイスに対する使用者の評価を問う質問をＣＰＵが出力装置（ディスプレイ）に表示し、使用者が入力装置（キーボードまたはマウス）から入力した回答をＣＰＵがフィードバック（次からの判定に反映）するようなプログラムにした。つまり、入力された回答に対して定められた点数の範囲でＣＰＵが判定基準を修正する。これに従って使用者の精神状態の判定も修正され、次の判定から提示されるアドバイスも修正される。
【発明の効果】
【０００６】  本発明により、使用者は意思決定に際し、その時の精神状態に合わせたアドバイスを得られ、また本発明のプログラムの使用を繰り返すほど、より使用者に合ったアドバイスを得ることができるようになる。
【発明を実施するための最良の形態】
【０００７】  第２図は、本発明によって実行される処理のフローである。まず、使用者が、希望する質問の回数を入力装置からＣＰＵに入力する。すると、ハードディスク（ＨＤＤ）に保存された質問の中からコンピューター（ＣＰＵ）が無作為に質問を選択し、選択した質問をディスプレイに文字等の画像または音声にて表示する。使用者が質問への回答を文字等の画像または音声にて入力すると、ＣＰＵが使用者の回答を採点する。この過程を複数回くりかえす。ＣＰＵは各回答の点数を加算し、部分合計点数と総合点数を計算する。次に、ＨＤＤに記憶されている判定基準に照らして、ＣＰＵが部分合計点数と総合点数から使用者の精神状態を判定し、判定結果に割り当てられたアドバイスを選択し、ディスプレイに文字等の画像または音声にて表示する。ここで、一端、終了する。後に、アドバイスの効果が判明してから、使用者がそのアドバイスに対する評価を入力するためにＣＰＵからプログラムを呼び出すと、ＣＰＵはアドバイスの結果を問う質問を文字等の画像または音声にてディスプレイに表示し、使用者がその質問に対する回答を文字等の画像または音声にて入力する。すると、ＣＰＵはその入力結果をフィードバックする（次の判定に反映する）。すなわち、入力結果に対し定められた点数の範囲でＣＰＵが判定基準を修正し、修正された基準に基づいて次の判定がなされる。この過程を繰り返すことによって、さらに使用者に合わせた判定が可能になる。
【実施例】
【０００８】  判定基準とは、例えば、使用者のうつ気分やストレスの強さを点数で表したもので、点数が高いほどうつ気分やストレスが強いことを意味し、１００点満点等に換算して表す。例えばうつ気分またはストレス度を、極低（０〜２４点）、低（２５〜５０点）、中（５１〜７５点）、高（７６〜１００点）の４ランクに点数で分類し、これに使用者の得点数を当てはめて判定する。そして、点数の低い方から順番に、「油断に注意＆再考してＧＯ（進め）！」、「ＧＯ！」、「もし延期できるなら少し落ち着くまで延期がベター。延期できないなら慎重に、慎重に進め」、「延期したほうがよい」などのアドバイスを各々ディスプレイに表示する。【０００９】  アドバイスに対する評価を問う質問に対して使用者が回答を入力するが、その入力結果をフィードバックする（入力結果を次の判定に反映する）とは、以下の過程を意味する。例えばストレス度低で「ＧＯ！」とアドバイスした場合、アドバイスに対する使用者の評価を、例えば「すごく良かった」「良かった」「普通」「良くなかった」の中から選択してもらう。評価が「良くなかった」であった場合、ＣＰＵがストレス度中ランクの点数幅を下方に広げ（例えば、４８〜７５点にする）、ストレス度低ランクの点数幅を狭くする（例えば、２５〜４７点にする）ことによって、「ＧＯ！」のアドバイスを出す基準を厳しくし、より低いストレス度でないと「ＧＯ！」が出ないようにする。逆に、使用者の評価が「すごく良かった」であれば、ＣＰＵがストレス度低ランクの点数幅を上方に広げる（例えば、２５〜５３点にする）ことによって、「ＧＯ！」のアドバイスを出す基準を緩め、前より少し高めのストレス度でも「ＧＯ！」が出るようにする。これらの一連の過程がこのプログラムのフィードバック機能（入力結果を次の判定に反映する）の一例である。
【産業上の利用可能性】
【図面の簡単な説明】
【００１０】
【図１】本発明で行われる処理の各ステップのフローである。
【図１】
2005216324.tif 000003